(57)【要約】【課題】従来の手の介護具では、親指以外の指を固定する環状固定部は備えられているものの、親指を固定する手段は備えられていなかったので、手を握ったまま硬直している人の指は充分展開できなかった。【解決手段】本発明は、親指以外の指を挿入固定するための環状固定部と、親指が当接する親指当接部が設けられ、前記環状固定部と親指当接部との間に、親指が前記環状固定部の方向に移動すること阻止するための親指移動阻止部が設けられていることを特徴とする手の介護具である。【選択図】  図１
2004358186.tif 000002
【特許請求の範囲】
【請求項１】
指の機能低下の回復を図るための、軟質で掌中にて把握できる形状の本体が備えられている介護具であって、前記本体には、当該本体を掌中で把握した際に親指以外の指を挿入固定するための環状固定部と、親指が当接する親指当接部が設けられ、前記環状固定部と親指当接部との間に、前記親指が前記環状固定部の方向に移動すること阻止するための親指移動阻止部が設けられていることを特徴とする手の介護具。
【請求項２】
親指移動阻止部は、本体から外方に突出すると凸部にて形成されている請求項１記載の手の介護具。
【請求項３】
凸部の内部には、硬質塊が封入されている請求項２記載の手の介護具。
【請求項４】
本体は、外袋と内袋と二重構造にてなり、内袋には樹脂製のビーズやペレットが封入されている請求項１ないし請求項３のいずれかに記載の手の介護具。
【請求項５】
外袋は木綿のジャージにて形成され、内袋は木綿のパイルにて形成されている請求項４記載の手の介護具。
【請求項６】
硬質塊は、外袋と内袋との間に封止されている請求項３ないし請求項５のいずれかに記載の手の介護具。
【請求項７】
指の機能低下の回復を図るための、軟質で掌中にて把握できる形状の本体が備えられている介護具であって、前記本体には、当該本体を掌中で把握した際に親指以外の指を挿入固定するための環状固定部と、親指が当接する親指当接部が設けられ、前記本体の内部に当該本体を把握することに応答して音声が発生する音声発生装置が封入されていることを特徴とする手の介護具。
【請求項８】
指の機能低下の回復を図るための、軟質で掌中にて把握できる形状の本体が備えられている介護具であって、前記本体には、当該本体を掌中で把握した際に親指以外の指を挿入固定するための環状固定部と、親指が当接する親指当接部が設けられ、前記本体の内部に空洞部が備えられていることを特徴とする手の介護具。
【発明の詳細な説明】
【０００１】
【発明の属する技術分野】
本発明は、手の介護具に関し、例えば脳梗塞などで指の機能が低下し掌が握られたままの状態で硬直している人の掌中に把握させリハビリの一助とするものである。
【０００２】
【従来の技術】
従来の手の介護具としては、本件発明者が既に考案しているものが存在し、当該手の介護具は、軟質で掌中にて把握できる単純な球形もしくは回転楕円形に類似する形状の本体が備えられ、前記本体には、当該本体を掌中で把握した際に親指以外の指を挿入固定するための連続する複数の環状固定部と、親指が当接する親指当接部が設けられているものである（実用新案登録第３０７８８８１号）。
【０００３】
【発明が解決しようとする課題】
前述のように、従来の手の介護具では、本体が単純な球形もしくは回転楕円形に類似する形状で、親指以外の指を固定する環状固定部は備えられているものの親指を固定する手段は備えられていなかった。
【０００４】
従って、この手の介護具を、例えば脳梗塞などで指の機能が低下し掌が握られたままの状態で硬直している人の掌中に把握させると、親指が前記本体の表面を摺動して他の指の方向に接近もしくは接触し、結局掌が充分展開できずリハビリの効果は低下するおそれがあった。
【０００５】
本発明はかかる従来の課題に鑑みてなされたもので、手の介護具を掌中にて把握しても、親指が他の指の方向に移動することを阻止し、掌を充分展開でき、リハビリ効果の高い手の介護具を実現せんとするものである。
【０００６】
【課題を解決するための手段】
第１の発明は、指の機能低下の回復を図るための、軟質で掌中にて把握できる形状の本体が備えられている介護具であって、前記本体には、当該本体を掌中で把握した際に親指以外の指を挿入固定するための環状固定部と、親指が当接する親指当接部が設けられ、前記環状固定部と親指当接部との間に、前記親指が前記環状固定部の方向に移動すること阻止するための親指移動阻止部が設けられていることを特徴とするものである。
【０００７】
本発明では、環状固定部と親指当接部との間に、親指が前記環状固定部の方向に移動すること阻止するための親指移動阻止部が設けられているので、例えば脳梗塞などで指の機能低下し掌が握られたままの状態で硬直している人の掌中に把握させても、前記親指移動阻止部によって、親指が他の指の方向に移動することが阻止されるので、掌が充分展開され、大きなリハビリ効果を実現することが可能となる。
【０００８】
第２の発明は前記第１の発明を前提とし、親指移動阻止部は、本体から外方に突出すると凸部にて形成されている手の介護具である。
【０００９】
本発明では、親指移動阻止部は、本体から外方に突出すると凸部にて形成されているので、親指は当該凸部にて本体表面の摺動が阻止されることになる。
【００１０】
第３の発明は、前記第２の発明を前提とし、凸部の内部には硬質塊が封入されている手の介護具である。
【００１１】
本発明では、凸部の内部には硬質塊が封入されており、所望の位置に容易に親指移動阻止部を形成することが可能となる。
【００１２】
第４の発明は、前記第１ないし第３のいずれかの発明を前提とし、本体は外袋と内袋と二重構造にてなり、内袋には樹脂製のビーズやペレットが封入されている手の介護具である。
【００１３】
本発明では、内袋には樹脂製のビーズやペレットが封入されており、このビーズやペレットの粒形や材料を変更することにより種々の感触の本体を形成することが可能となる。
【００１４】
また、種類の異なる内容物が封入されている複数の内袋を用意しておくと、当該内袋を交換することによって、容易に感触の異なる本体を実現することが可能となる。
【００１５】
第５の発明は、前記第４の発明を前提とし、外袋は木綿のジャージにて形成され、内袋は木綿のパイルにて形成されている手の介護具である。
【００１６】
本発明では、外袋も内袋も木綿地にて形成されているので、掌中の汗をよく吸収し洗濯耐性もあるので清潔で衛生的である。
【００１７】
第６の発明は前記第３ないし第５のいずれかの発明を前提とし、硬質塊は、外袋と内袋との間に封止されている手の介護具である。
【００１８】
本発明では、硬質塊は外袋と内袋との間に封止されているので、その形状や大きさの異なるものを容易に置換することが可能となる。
【００１９】
第７の発明は、指の機能低下の回復を図るための、軟質で掌中にて把握できる形状の本体が備えられている介護具であって、前記本体には、当該本体を掌中で把握した際に親指以外の指を挿入固定するための環状固定部と、親指が当接する親指当接部が設けられ、前記本体の内部に当該本体を把握することに応答して音声が発生する音声発生装置が封入されていることを特徴とするものである。
【００２０】
本発明では、本体の内部に当該本体を把握することに応答して音声が発生する音声発生装置が封入されているので、当該本体を把握したり開放する都度音声が発生し、リハビリをする者はリズミカルに飽きることなくかかる動作を連続的に実行できる。
【００２１】
第８の発明は、指の機能低下の回復を図るための、軟質で掌中にて把握できる形状の本体が備えられている介護具であって、前記本体には、当該本体を掌中で把握した際に親指以外の指を挿入固定するための環状固定部と、親指が当接する親指当接部が設けられ、前記本体の内部に空洞部が備えられていることを特徴とするものである。
【００２２】
本発明では、本体の内部に空洞部が備えられているので、本体全体の重量を軽減することが可能となる。
【００２３】
【発明の実施の形態】
図１は手の介護具の斜視図、図２は手の介護具を把握した状態の斜視図、図３は手の介護具の断面図、図４は他の手の介護具の正面図で、図５はその断面図である。
【００２４】
図１ないし図３おいて、１は本体で、外袋２と内袋３の２重構造で外皮が形成されており、外袋２は木綿のジャージにて、また内袋３は木綿のパイルにて形成され、外袋２と内袋３は着脱可能に構成されている。
【００２５】
なお、外袋２と内袋３の材質は必ずしもかかる実施の態様と同一である必要はなく、羊毛や合成繊維等の生地で形成されていてもよく、また編み方や織り方も種々のものが考えられる。
【００２６】
前記内袋３の内部には、スチロールやポリプピロピレンなどの樹脂やセラミック等で形成された粒体４が収納されており、これらの粒体４は、球形や異形を呈し、その粒径が３ｍｍないし１０ｍｍ程度である。
【００２７】
前記粒体４の粒形や材料を変更することにより種々の感触の本体１を形成することが可能となり、また、予め種類の異なる粒体４が封入されている複数の内袋３を用意しておくと、当該内袋３を交換することによって、容易に感触の異なる本体１を実現することが可能となる。
【００２８】
前記外袋２には、本体１を掌中で把握した際に親指９以外の指１０を挿入固定するための、環状固定部５が４個連続的に形成されている。
【００２９】
この環状固定部５は、外袋２と同一の生地で形成しても、他の材質のもので形成してもよく、また４個よりも少なくてもよい。
【００３０】
また、本体１の親指９が当接する部分に親指当接部６が設けられており、前記環状固定部５と親指当接部６との間に、本発明の最も特徴とするところの、親指９が前記親指当接部６から環状固定部５の方向に摺動すること阻止するための親指移動阻止部７が設けられている。
【００３１】
前記親指移動阻止部７は、前記外袋２と内袋３との間に硬質塊８が介挿されることによって形成されており、この硬質塊８は樹脂製の単体のものであってもよく、また前記粒体４を子袋に硬めに収納することによって形成することも可能である。
【００３２】
なお、前記硬質塊８は内袋３に固定しても、外袋２に固定してもよく、場合によっては両袋２、３との間において移動可能なるように構成してもよい。
【００３３】
本実施の形態は前述のように構成されているので、例えば脳梗塞などで指の機能が低下し掌が握られたままの状態で硬直している人の掌を、外力によって一旦展開させて、図２に示すように、親指９以外の指１０を環状固定部５に挿入し、親指９を親指当接部６に当接させると、掌の把握方向への硬直力によって親指９が環状固定部５の方向（矢印参照）へ移動しようとするが、親指移動阻止部７によって、親指９が他の指１０の方向（環状固定部５の方向）に移動することが阻止されるので、掌が充分展開された状態が保持され、大きなリハビリ効果を実現することが可能となる。
【００３４】
なお、本体１の形状が回転楕円状である場合、前記環状固定部５は本体１の表裏に１列づつ且つ９０度捻った状態で設けられ、親指移動阻止部７も表裏に設けられていてもよい。
【００３５】
この場合、前記のように本体１の形状が回転楕円状であるので、表面と裏面では掌で把握した際の展開寸法が異なり、２種類の症状に対応することが可能となる。
【００３６】
次に、第２の実施の形態について図４および図５に基づき説明するが、この実施の形態で前記の実施の形態と同一部分には同一の符号を付して詳細な説明は略す。
【００３７】
この第２の実施の形態では、内袋３の内部に弾力性を有する伸縮自在な空気室１１が設けられており、この空気室１１の一部に笛１２が装着されている。
【００３８】
従って、人間が本体１を把握したり開放する都度、笛１２を通して空気室１１に空気が出入りし、その都度笛１２によって音声が発生し、リハビリをする者はリズミカルに飽きることなくかかる動作を繰り返し連続的に実行できる。
【００３９】
なお、本実施の形態では、前述の実施の形態とその形状の相違から親指移動阻止部７は備えられていないが、親指移動阻止部７が備えられていてもよいことは勿論である。
【００４０】
また、前記空気室１１は空洞部としての役目も果たし、本体１の重量を軽減させる一助になる。
【００４１】
更に前記第１の実施の形態において、本体１の内部に単なる空洞を設けて重量の軽減を図ることも可能である。
【００４２】
【発明の効果】
第１の発明では、環状固定部と親指当接部との間に、親指が前記環状固定部の方向に移動すること阻止するための親指移動阻止部が設けられているので、例えば脳梗塞などで指の機能低下し掌が握られたままの状態で硬直している人の掌中に把握させても、前記親指移動阻止部によって、親指が他の指の方向に移動することが阻止されるので、掌が充分展開され、大きなリハビリ効果を実現することが可能となる。
【００４３】
第２の発明では、親指移動阻止部は、本体から外方に突出すると凸部にて形成されているので、親指は当該凸部にて本体表面の摺動が阻止されることになる。
【００４４】
第３の発明では、凸部の内部には硬質塊が封入されており、所望の位置に容易に親指移動阻止部を形成することが可能となる。
【００４５】
第４の発明では、内袋には樹脂製のビーズやペレットが封入されており、このビーズやペレットの粒形や材料を変更することにより種々の感触の本体を形成することが可能となる。
【００４６】
また、種類の異なる内容物が封入されている複数の内袋を用意しておくと、当該内袋を交換することによって、容易に感触の異なる本体を実現することが可能となる。
【００４７】
第５の発明では、外袋も内袋も木綿地にて形成されているので、掌中の汗をよく吸収し洗濯耐性もあるので清潔で衛生的である。
【００４８】
第６の発明では、硬質塊は外袋と内袋との間に封止されているので、その形状や大きさの異なるものを容易に置換することが可能となる。
【００４９】
第７の発明では、本体の内部に当該本体を把握することに応答して音声が発生する音声発生装置が封入されているので、当該本体を把握したり開放する都度音声が発生し、リハビリをする者はリズミカルに飽きることなくかかる動作を連続的に実行できる。
【００５０】
第８の発明では、本体の内部に空洞部が備えられているので、本体全体の重量を軽減することが可能となる。
【図面の簡単な説明】
【図１】本発明の一実施の形態の手の介護具の斜視図である。
【図２】本発明の一実施の形態の手の介護具を把握した状態の斜視図である。
【図３】本発明の一実施の形態の手の介護具の断面図である。
【図４】本発明の他の実施の形態の手の介護具の正面図である。
【図５】本発明の他の実施の形態の手の介護具の断面図である。
【符号の説明】
１  本体
２  外袋
３  内袋
４  粒体
５  環状固定部
６  親指当接部
７  親指移動阻止部
８  硬質塊
９  親指
１０  親指以外の指
１１  空気室
１２  笛
【図１】
2004358186.tif 000003
【図２】
2004358186.tif 000004
【図３】
2004358186.tif 000005
【図４】
2004358186.tif 000006
【図５】
2004358186.tif 000007